(57)【要約】【課題】ワイヤー錠装置のロックを解除した後に、ワイヤーなどを容易に、再びリング状と成して持ち運ぶことができ、次に錠をする際には、再再度、ロックを解除することがなく、よって、操作が容易な錠装置を提供する。【解決手段】ワイヤー３またはチェーンの両端を連結してリング状と成し錠をする錠装置１において、ワイヤー３またはチェーンの両端にマグネット対１７を設け、両端を仮連結しておくことができる。  仮に連結した状態において、錠本体と錠杆とは、及び、マグネット対は、互いに嵌合する形状を有する。【選択図】図１
2014156740.tif 000002
【特許請求の範囲】
【請求項１】
ワイヤーまたはチェーンの両端を連結してリング状と成し錠をする錠装置であって、ワイヤーまたはチェーンの両端に設けられ、両端を仮に連結しておくためのマグネット対と、を備えたことを特徴とする錠装置。
【請求項２】
前記錠装置は、自転車またはバイクに使用され、前記ワイヤーまたはチェーンの一端に設けられる錠本体と、前記ワイヤーまたはチェーンの他端に設けられる錠杆と、この錠杆を前記錠本体の錠杆挿入孔に挿入した状態でロックし、鍵または暗証番号によって前記ロックを解除するロック機構と、を有し、前記マグネット対は、前記錠本体及び前記錠杆に設けられたことを特徴とする請求項１に記載の錠装置。
【請求項３】
前記錠本体及び前記錠杆は、前記仮に連結した状態において、互いに嵌合する形状を有することを特徴とする請求項２に記載の錠装置。
【請求項４】
前記マグネット対は、前記仮に連結した状態において、互いに嵌合する形状を有することを特徴とする請求項１、２、３に記載の錠装置。 
【発明の詳細な説明】
【技術分野】
【０００１】
この発明は、ワイヤーまたはチェーンの両端をつないで、自転車などの錠をする錠装置に関する。
【背景技術】
【０００２】
ワイヤーの両端をつないでリング状と成し、自転車やバイクなどに、例えば車輪へ取付ることで、錠をする錠装置にはいろいろの種類がある。例えば、ワイヤーの一端に錠本体が設けられ、他端に棒状の錠杆が設けられる。この錠杆が、錠本体に設けられる錠杆挿入孔に挿入され、この挿入された錠杆を、錠本体の内部に設けられるロック機構がロックする。このロック機構は、鍵または暗証番号によってロックを解除するためのロック解除機構を備える。このうち、鍵によってロックを解除するものが、下記特許文献１に開示される。
【先行技術文献】
【特許文献】
【０００３】
【特許文献１】特開平10-205192
【発明の概要】
【発明が解決しようとする課題】
【０００４】
自転車やバイクを使用する際に錠装置のロックを解除すると、ワイヤーはリング状の閉じた形状ではなくなり、開いた形状になってしまう。そして、一般には、自転車やバイクの車輪などの錠をする部位以外の部位に、再び、錠装置を取付けてリング状と成し、自転車やバイクから錠装置が脱落しない状態にして持運び、走行する。
【０００５】
しかしながら、そのようにロックして再びリング状と成すために、錠杆を錠杆挿入孔に挿入したり、ロック機構でロックしたり、しなければならず、操作が面倒となる。
さらには、次に錠をする際には、再度、鍵または暗証番号によってロックを解除しなければならず、操作が重ねて面倒となる。
以上の問題は、ワイヤーの両端をつないでリング状と成し、錠杆を、錠本体に設けられる錠杆挿入孔に挿入するタイプの錠装置以外のいろいろのタイプの錠装置でも、同様に存在する。例えば、チェーンの両端をつないでリング状と成し、チェーンの一端に設けられた錠本体のフックに、他端に設けられたリングが係合し、錠本体のロック機構によりフックが開閉する如き錠装置でも同様に存在する。
【０００６】
この発明は、以上の問題点を解決するために、錠装置のロックを解除した後に、ワイヤーなどを容易に、再びリング状と成して持ち運ぶことができ、次に錠をする際には、再度、ロックを解除することがなく、よって、操作が容易な錠装置を提供することを目的とする。
【課題を解決するための手段】
【０００７】
以上の課題を解決するために、第一発明は、ワイヤーまたはチェーンの両端を連結してリング状と成し錠をする錠装置であって、ワイヤーまたはチェーンの両端に設けられ、両端を仮に連結しておくためのマグネット対と、を備えたことを特徴とする錠装置である。
また、第二発明は、さらに、前記錠装置は、自転車またはバイクに使用され、前記ワイヤーまたはチェーンの一端に設けられる錠本体と、前記ワイヤーまたはチェーンの他端に設けられる錠杆と、この錠杆を前記錠本体の錠杆挿入孔に挿入した状態でロックし、鍵または暗証番号によって前記ロックを解除するロック機構と、を有し、前記マグネット対は、前記錠本体及び前記錠杆に設けられたことを特徴とする錠装置である。
【０００８】
第三発明は、さらに、前記錠本体及び前記錠杆は、前記仮に連結した状態において、互いに嵌合する形状を有することを特徴とする錠装置である。
第四発明は、さらに、前記マグネット対は、前記仮に連結した状態において、互いに嵌合する形状を有することを特徴とする錠装置である。 
【発明の効果】
【０００９】
第一、第二、第三、又は第四発明によれば、ワイヤーまたはチェーンの両端に設けられるマグネット対によって、容易に、両者を吸着させ、仮に連結しておくことにより、ワイヤーまたはチェーンを、再びリング状と成して持ち運ぶことができる。また、次に錠をする際には、マグネット対を引っ張ることで吸着を外すことができ、よって、従来のように、ロックを解除する必要がない。これらのことから、錠装置の操作が容易である。
【００１０】
第三、又は第四発明によれば、さらに、錠本体及び前記錠杆が、仮に連結した状態において、互いに嵌合する形状を有するので、この仮連結が安定したものになる。
第四発明によれば、さらに、マグネット対は、仮に連結した状態において、互いに嵌合する形状を有するので、この仮連結が安定したものになる。
【図面の簡単な説明】
【００１１】
【図１】この発明の一実施形態を示す錠装置の要部の拡大図で、（Ａ）は、仮連結状態の全体図である図２（Ａ）のＩＡ部拡大図、（Ｂ）は、連結状態の全体図である図２（Ｂ）のＩＢ部拡大図である。
【図２】（Ａ）は、図１（Ａ）の錠装置における仮連結状態の全体図、（Ｂ）は、図１（Ｂ）の錠装置における連結状態の全体図、（Ｃ）は、（Ａ）（Ｂ）で連結が解除された状態の全体図、（Ｄ）は、（Ｃ）の背面図である。
【図３】図１の錠本体を示す図で、（Ａ）は、斜視図、（Ｂ）は、（Ａ）の側面図、（Ｃ）は、（Ａ）の平面図、（Ｄ）は、（Ａ）の正面図、（Ｅ）は、（Ａ）の背面図である。
【図４】図１の錠杆を示す図で、（Ａ）は、向きを上下逆にした斜視図、（Ｂ）は、（Ａ）の平面図、（Ｃ）は、（Ｂ）の背面図、（Ｄ）は、（Ａ）の側面図、（Ｅ）は、（Ａ）の正面図、（Ｆ）は、（Ｅ）の背面図、（Ｇ）は、（Ｄ）の断面図である。
【発明を実施するための形態】
【００１２】
この発明の実施形態を、図１から図４に示す。
この実施形態の錠装置１は、ワイヤー３の両端をつないで自転車などの錠をする錠装置である。ワイヤー３の一端には錠本体５が設けられる。ワイヤー３の他端には、円柱状の錠杆７が設けられる。この錠杆７が挿入されるために、錠本体５には錠杆挿入孔９が設けられる。錠本体５の内部には、挿入された錠杆７をロックするための図示しないロック機構が設けられる。このロック機構には、鍵によってロックを解除するための図示しないロック解除機構が備えられる。
【００１３】
すなわち、ロック機構は、錠杆７の先端の周囲に形成されたロック溝１１に対して、前進して係止するための図示しないロック爪が設けられ、図示しないバネによって係止方向へ付勢される。挿入された錠杆７の先端が、このロック爪に設けられた図示しない傾斜部に接することで、バネの付勢力に抗してロック爪を後退させる。そして、さらに挿入がされると、錠杆７の側面を滑ったロック爪が、バネの付勢力によりロック溝１１に係止し、ロックが行われる。
鍵穴１３（図３（Ｅ））に挿入された図示しない鍵が廻されると、バネの付勢力に抗してロック爪が後退され、ロックが解除される。
【００１４】
そして、図１（Ａ）に示すように、錠本体５及び錠杆７にはマグネット対１７が設けられ、両者を仮につないでおくことができる。錠本体５は、大きな直方体形状を有し、この直方体の角の部分が、小さな直方体状に切り欠かれた形状１９を有する。錠杆７は、この切り欠かれた小さな直方体状の空間にぴったりと嵌合する、小さな直方体状の形状２０を有する。このようにして、錠本体５と錠杆７が互いに嵌合すると、全体として大きな直方体形状を成す。
【００１５】
この嵌合が、ワイヤー３をほぼリング状に配した状態で自然に行えるように、ほぼリング状に配されたワイヤー３の両端に、嵌合状態の錠本体５と錠杆７が設けられる接続形状とする。
図１（Ａ）に示すように、この嵌合によって錠本体５と錠杆７とが互いに接する面は２つ存在する。その内の１つの面に、マグネット対１７が設けられる。錠本体５には、短円筒状に突出するマグネット２１が設けられる。錠杆７には、短円筒状のマグネット２１が嵌合するために、相似の短円筒状の穴２３が形成され、その穴２３の底部に、前記マグネット２１と吸着し合う別のマグネット２１が設けられる。
【００１６】
「実施形態の効果」
この実施形態によれば、自転車などを使用する際に錠装置１のロックを解除した後、錠装置１を、自転車などの錠をする部位、例えば車輪のスポークから外す。そして、錠をする部位以外の部位、例えば買物カゴの金網の間に通して取付け、再びリング状と成し、ワイヤー３の両端に設けられるマグネット対１７によって、容易に、錠本体５と錠杆７とを吸着させ、両者を仮に連結しておくことができる。これにより、ワイヤー３を、再びリング状と成して、自転車から錠装置１が脱落しない状態にして、持ち運ぶことができる。
【００１７】
また、次に錠をする際には、マグネット対１７を引っ張ることで吸着を外すことができ、買物カゴの金網の間から、錠装置１を容易に外すことができる。よって、従来のように、ロックを解除する必要がない。その後、直ちに、錠装置１を、自転車などの錠をする部位、例えば車輪のスポークへ取付けることができる。以上のことから、錠装置１の操作が容易である。
【００１８】
さらに、錠本体５及び錠杆７が、仮連結した状態において、錠本体５の大きな直方体の角の部分が小さな直方体状に切り欠かれた形状１９の空間へ、錠杆７の小さな直方体状の形状が、ぴったりと嵌合し、全体として大きな直方体形状を成すことから、この仮連結が安定したものになる。
【００１９】
さらに、マグネット対１７は、仮連結した状態において、錠本体５側の突出する短円筒状のマグネット２１が、錠杆７の相似の短円筒状の穴２３に嵌合し、しかも、その穴２３の底部のマグネット２１と吸着し合うことで、仮連結が安定したものになる。
「他の実施形態」
以上の実施形態では、ワイヤー３の両端に、錠本体５と錠杆７が設けられるものであったが、他の実施形態では、ワイヤー３ではなくチェーンの両端に、錠本体５と錠杆７が設けられるものであっても良い。
【００２０】
また、以上の実施形態では、錠装置１は、錠本体５と錠杆７によって連結が行われるタイプであったが、他の実施形態では、他のタイプの錠装置でも、本発明は実施可能である。
また、以上の実施形態では、ロック機構は鍵によってロックが解除されるものであったが、他の実施形態では、鍵ではなく暗証番号によってロックを解除するものでもよい。
【符号の説明】
【００２１】
１…錠装置、３…ワイヤー、５…錠本体、７…錠杆、９…錠杆挿入孔、１１…ロック溝、１３…鍵穴、１７…マグネット対、１９…切り欠かれた形状、２０・・小さな直方体状の形状、２１…マグネット、２３…穴。
【図１】
2014156740.tif 000003
【図２】
2014156740.tif 000004
【図３】
2014156740.tif 000005
【図４】
2014156740.tif 000006